(57)【要約】【課題】効率的にスキャンを行い、スキャン時間の短縮化を図る。【解決手段】  移動中にアクセスポイントの接続を切り替えるローミングを行う場合に、優先順位の高いスキャン帯域から順にアクセスポイントのスキャンを実行するスキャン部と、スキャン部によるスキャンの結果により、ローミング先のアクセスポイントがある場合に接続を行うローミング実行部と、を備え、一の優先順位のスキャン帯域でのスキャンによるスキャン結果で、ローミング先のアクセスポイントがない場合に、スキャン部は一の優先順位よりも低い優先順位のスキャン帯域でスキャンを行う。【選択図】図１
2014232977.tif 000002
【特許請求の範囲】
【請求項１】
移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に接続を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末。
【請求項２】
請求項１に記載の無線通信端末において、前記スキャン部は、現在接続しているチャンネルの帯域をスキャンし、スキャンの結果により、ローミング先のアクセスポイントがない場合に現在接続しているチャンネルの帯域と異なる帯域をスキャンすることを特徴とする無線通信端末。
【請求項３】
請求項２に記載の無線通信端末において、前記スキャン部は、現在接続しているチャンネルの帯域が８０２．１１ａであった場合にはＷ５３／Ｗ５６帯域よりも、Ｗ５２帯域のチャンネルを優先させてスキャンを行うことを特徴とする無線通信端末。
【請求項４】
請求項２に記載の無線通信端末において、前記スキャン部は、現在接続しているチャンネルの帯域が８０２．１１ｂ／ｇであった場合には干渉チャンネルよりも非干渉チャンネルを優先させてスキャンを行うことを特徴とする無線通信端末。
【請求項５】
請求項１に記載の無線通信端末において、複数のチャンネルの帯域について、スキャンを行うに際して優先する帯域の優先順位を定義した情報テーブルを記憶する記憶部を備え、前記スキャン部は前記優先順位の一番高い帯域をスキャンすることを特徴とする無線通信端末。
【請求項６】
無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に接続を行う、無線通信端末のローミング方法。
【請求項７】
請求項６に記載のローミング方法において、現在接続しているチャンネルの帯域をスキャンし、スキャンの結果により、ローミング先のアクセスポイントがない場合に現在接続しているチャンネルの帯域と異なる帯域をスキャンすることを特徴とするローミング方法。
【請求項８】
請求項７に記載のローミング方法において、現在接続しているチャンネルの帯域が８０２．１１ａであった場合にはＷ５３／Ｗ５６帯域よりも、Ｗ５２帯域のチャンネルを優先させてスキャンを行うことを特徴とするローミング方法。
【請求項９】
請求項７に記載のローミング方法において、現在接続しているチャンネルの帯域が８０２．１１ｂ／ｇであった場合には干渉チャンネルよりも非干渉チャンネルを優先させてスキャンを行うことを特徴とするローミング方法。
【請求項１０】
請求項６に記載のローミング方法において、情報テーブルに、複数のチャンネルの帯域について、スキャンを行うに際して優先する帯域の優先順位を定義した情報を記憶し、前記優先順位の一番高い帯域をスキャンすることを特徴とするローミング方法。
【発明の詳細な説明】
【技術分野】
【０００１】
本発明は無線通信端末、無線通信端末のローミング方法に関し、特に、複数のスキャン帯域を順にスキャンする無線通信端末、無線通信端末のローミング方法に関する。
【背景技術】
【０００２】
無線ＬＡＮで使用する帯域は、ＩＥＥＥ８０２．１１で定められている規格で分類すると、ＩＥＥＥ８０２．１１ｂ／ｇ（２．４ＧＨｚ帯域、以下８０２．１１ｂ／ｇと記載する）と、ＩＥＥＥ８０２．１１ａ（５ＧＨｚ帯域、以下８０２．１１ａと記載する）とに分かれる。
【０００３】
無線ＬＡＮシステムでは、一般的には、どちらか一方の規格が選択されるが、双方の規格いずれも有効として無線ＬＡＮ端末に設定される場合がある。このとき、無線ＬＡＮ端末は、接続するアクセスポイントを検索するためのスキャン処理において、８０２．１１ｂ／ｇと８０２．１１ａの帯域をスキャンすることとなる。
【０００４】
本願発明に関連する技術を開示するものとして、特許文献１が挙げられる。この技術によれば、アクセスポイントでローミング履歴を管理し、自身へ接続しに来た端末に対して、その情報を元にした検索候補情報を通知することで無線ＬＡＮ端末の検索処理の低減化を実現する方法が提案されている。しかし、特許文献１では、アクセスポイントがローミング履歴情報を管理しており、さらにその通知を無線ＬＡＮ端末に送付する仕組みである。
【０００５】
また、特許文献２には、電源投入時に、アクセスポイントＡＰｘについて、２．４ＧＨｚ、５．２ＧＨｚ、５．３ＧＨｚの順に接続可能かどうか検出していき、受信品質がよくない場合（中程度）には次のアクセスポイントＡＰｙ、ＡＰｚについて同様な動作を行っていくことの記載がある。
【先行技術文献】
【特許文献】
【０００６】
【特許文献１】特開２００３−２６４５６５号公報
【特許文献２】特開２００８−１７３４０号公報（要約、段落００８４、０１００、０１１９，０１２０等）
【発明の概要】
【発明が解決しようとする課題】
【０００７】
接続するアクセスポイントを検索するためのスキャン処理において、８０２．１１ｂ／ｇと８０２．１１ａの帯域それぞれのチャンネル数は、８０２．１１ｂ／ｇが１４チャンネル、８０２．１１ａが１９チャンネルであるため合計３３チャンネルをスキャンすることとなる。その結果、スキャンする時間が長くなることで、ローミングによる切替先のアクセスポイントを検出するのに時間がかかり、通信エラーを引き起こす原因となる場合があった。
【０００８】
また、上記特許文献１において、構築するためにはアクセスポイントに独自の処理を実装する必要があり、汎用のアクセスポイントでは実現することは困難であった。
【０００９】
本発明の目的は、無線通信端末側で、スキャン時間が短縮されたローミングを実行することのできる無線通信端末、及び無線通信端末のローミング方法を提供することにある。
【課題を解決するための手段】
【００１０】
本発明の無線通信端末は、移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に接続を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末である。
【００１１】
また、本発明の無線通信端末のローミング方法は、無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に接続を行う、無線通信端末のローミング方法である。
【発明の効果】
【００１２】
本発明によれば、ローミング時に実行されるアクセスポイントのスキャン処理にて、スキャンする帯域に優先順位をつけられるので、効率的にスキャンを行い、スキャン時間の短縮化を図ることができる。
【００１３】
さらにスキャン時間の短縮化によりローミング完了までの時間を高速化することができる。
【図面の簡単な説明】
【００１４】
【図１】本発明の無線通信端末の第１の実施形態の構成を示すブロック図である。
【図２】本発明の第１の実施形態の無線通信端末を用いた無線通信システムの一構成例を示す構成図である。
【図３】上記実施形態の無線通信端末の動作を示すフローチャートである。
【図４】本発明の無線通信端末の第２の実施形態の無線通信端末の動作を示すフローチャートである。
【図５】本発明の無線通信端末の第３の実施形態の無線通信端末の構成を示すブロック図である。
【図６】本発明の無線通信端末の第３の実施形態の無線通信端末の動作を示すフローチャートである。
【図７】情報テーブルを示す図である。
【発明を実施するための形態】
【００１５】
以下、本発明の実施の形態について図面を用いて詳細に説明する。
【００１６】
（第１の実施形態）
図１は本発明の無線通信端末の一実施形態の構成を示すブロック図である。図２は本発明の一実施形態の無線通信端末（無線ＬＡＮ端末）を用いた無線通信システムの一構成例を示す構成図である。
【００１７】
図２に示すように、本実施形態の無線通信端末を用いた無線通信システムは、アクセスポイント（以下、ＷＡＰと記載する）１１と、ＷＡＰ１２と、ＷＡＰ１１、１２と無線ＬＡＮ接続を行う、無線通信端末（以下、ＳＴＡと記載する）１３とを備えている。図２ではＳＴＡ１３は現在、ＷＡＰ１１に接続されているとする。ここでは、ＷＡＰは２つ示されているが２つに限定されず、３以上であってもよい。
【００１８】
図１に示すように、本実施形態の無線通信端末（ＳＴＡ）は、アンテナ１３１と、アンテナ１３１に接続され、ＷＡＰ１１、１２と無線通信を行う送受信部１３２と、端末全体の制御を行う制御部１３０と、制御部１３０と接続された記憶部１３７とからなる。制御部１３０内には、接続されているＷＡＰ１１の電波の受信信号強度（以下、ＲＳＳＩと記載する）を監視し、ＳＴＡの移動中にアクセスポイントの接続を切り替えるローミングを行うかどうかを判断するローミング判断部１３３と、ローミング判断部１３３がローミングを行うと決定した場合に、スキャンする帯域に優先順位をつけてアクセスポイントのスキャンを実行するスキャン部１３４と、スキャン部１３４によるスキャンの結果により、ローミング先のＷＡＰ候補を選定するローミング候補選定部１３５と、ＷＡＰがある場合に接続を行うローミング実行部１３６と、を備えている。ローミング判断部１３３、スキャン部１３４、ローミング候補選定部１３５、ローミング実行部１３６は、その機能を実現するプログラムを制御部内のＣＰＵ（Ｃｅｎｔｒａｌ  Ｐｒｏｃｅｓｓｉｎｇ  Ｕｎｉｔ）が記憶部１３７から読み込んで実行することによって実現している。なお、図１には、本発明に関係する構成のみを記している。
【００１９】
次に、図１、図２及び図３のフローチャートを参照して上記無線通信システムの動作について詳細に説明する。
【００２０】
ＳＴＡ１３が、ＷＡＰ１１と接続しているときに、ＳＴＡ１３がＷＡＰ１１の電波エリアからＷＡＰ１２の電波エリアへ移動する。ＳＴＡ１３のローミング判断部１３３は、定期的にＷＡＰ１１の電波のＲＳＳＩを監視しており、移動によるＲＳＳＩ値低下を検知する。ＲＳＳＩ値が、ローミングを実行すると判断する閾値より低下した場合には、よりＲＳＳＩ値が強いＷＡＰ１２を検出し、ＷＡＰ１２へローミングする。このとき、ＷＡＰを検索し接続するローミング処理について以下に詳細に説明する。
【００２１】
ＳＴＡ１３のローミング判断部１３３は、現在接続しているＷＡＰ１１のＲＳＳＩ値がローミング閾値以下となっているか確認する（図３のステップＳ２１）。
【００２２】
接続しているＷＡＰ１１のＲＳＳＩ値がローミング閾値以下となっている場合には、まず最初に、スキャン部１３４により、ＷＡＰ１１のチャンネルと同じ帯域をスキャンする（図３のステップＳ２２）。例えば、ＷＡＰ１１のチャンネルが１であれば８０２．１１ｂ／ｇの帯域をスキャンし、ＷＡＰ１１のチャンネルが３６であれば８０２．１１ａの帯域をスキャンする。
【００２３】
スキャン結果より得られたＷＡＰの情報から、ローミング候補選定部１３５は現在の接続しているＷＡＰ１１よりＲＳＳＩ値が強いローミング先となるＷＡＰ候補を選定する（図３のステップＳ２３）。
【００２４】
ここで、ローミング先となるＷＡＰ候補が見つかった場合には、ローミング実行部１３６は、ローミング先ＷＡＰへ接続処理を行い、ローミングを実行する（図３のステップＳ２６）。これにより、接続ＷＡＰのチャンネルと同じ帯域のみをスキャンしてローミングを実現することができるため、接続までの時間を短縮化することができる。一般的に同じネットワーク上に配置されるＷＡＰは同じ帯域が設定されている可能性が高く、異なる帯域を持つＷＡＰへの接続に対しては優先順位を下げても問題ない。
【００２５】
なお、ＷＡＰ候補の選定（図３のステップＳ２３）で、ＷＡＰが見つからなかった場合には、スキャン部１３４は、接続ＷＡＰのチャンネルとは異なる帯域をスキャンする（図３のステップＳ２４）。
【００２６】
ローミング候補選定部１３５は、スキャン結果より得られたＷＡＰの情報から、ローミング先となるＷＡＰ候補を選定し（図３のステップＳ２５）、ローミング先となるＷＡＰ候補が見つかった場合は、ローミング実行部１３６は、ローミングを実行する（図３のステップＳ２６）。この場合は、全ての帯域をスキャンしてローミングが実行された場合と同じとなるため、通常のスキャン処理と同じ時間でローミングが実現されることとなる。
【００２７】
ローミング先となるＷＡＰ候補が見つからなかった場合は、処理を終了する。
【００２８】
（第２の実施形態）
上記第１の実施形態では、ローミング時、現在接続しているチャンネルの帯域を先にスキャンした。本第２の実施形態では、図４のフローチャートに示す通り、現在接続しているチャンネルの帯域の中で、優先順位を決めてスキャンする。本実施形態の無線通信端末（無線ＬＡＮ端末）及び無線通信システムの構成は図１及び図２の構成と同じである。
【００２９】
無線ＬＡＮの帯域は、８０２．１１ｂ／ｇと８０２．１１ａに分かれており、更に８０２．１１ａには、Ｗ５２帯域（５．１５〜５．２５ＧＨｚ）、Ｗ５３帯域（５．２５〜５．３５ＧＨｚ）、Ｗ５６帯域（５．４５７〜５．７２５ＧＨｚ）に分かれる。それぞれの帯域には、周辺環境や使用状況により、通信へ影響を及ぼす要因となるものが存在する。
【００３０】
例えば、８０２．１１ｂ／ｇの帯域はＩＳＭバンドと呼ばれ、様々な機器によって使用される周波数帯である。このため、他の機器による電波干渉が発生しやすい。また、８０２．１１ａよりも以前に規格化されていることもあり、多くの無線端末で使用されているため、電波干渉の原因となる。８０２．１１ａについては、８０２．１１ｂ／ｇに比べ、直進性が高いため障害物に弱く、さらにＷ５３とＷ５６帯域は気象レーダーへの干渉がある場合は電波が停止される場合がある。
【００３１】
以下、図４を用いて本実施形態の無線通信端末の動作について説明する。
【００３２】
ＳＴＡ１３のローミング判断部１３３は、現在接続しているＷＡＰ１１のＲＳＳＩ値がローミング閾値以下となっているか確認する（図４のステップＳ３１）。
【００３３】
接続しているＷＡＰ１１のＲＳＳＩ値がローミング閾値以下となっている場合には、スキャン部１３４は、現在接続しているチャンネルの帯域が８０２．１１ａか８０２．１１ｂ／ｇかどうかを判断する（図４のステップＳ３２）。現在接続しているチャンネルの帯域が８０２．１１ａであった場合、ＷＡＰは、気象レーダー検出による電波停止の可能性のあるＷ５３／Ｗ５６帯域よりも、Ｗ５２帯域のチャンネルが設定されている可能性が高いと考えられるので、スキャン部１３４は、最初に、Ｗ５２帯域のチャンネルを、スキャンする（図４のステップＳ３３）。スキャン結果よりローミング候補選定部１３５は、ローミング先ＷＡＰ候補を選定し（図４のステップＳ３４）、Ｗ５２帯域でＷＡＰ候補が見つからなかった場合は、スキャン部１３４は、Ｗ５３／Ｗ５６帯域のチャンネルをスキャンする（図４のステップＳ３５）。Ｗ５２帯域でＷＡＰ候補が見つかった場合は、ローミング実行部１３６はローミングを実行する（図４のステップＳ３７）。
【００３４】
スキャン結果より得られたＷＡＰの情報から、ローミング候補選定部１３５は、ローミング先となるＷＡＰ候補を選定し（図４のステップＳ３６）、ローミング先となるＷＡＰ候補が見つかった場合は、ローミング実行部１３６はローミングを実行する（図４のステップＳ３７）。ローミング先となるＷＡＰ候補が見つからなかった場合は、処理を終了する。
【００３５】
現在接続しているチャンネルの帯域が８０２．１１ｂ／ｇであった場合、ＷＡＰは、干渉を避けて、即ち、４チャンネルごと（非干渉チャンネル（１））に、もしくは、干渉を避けて、かつ、周波数が重なり合わないように、即ち、５チャンネルごと（非干渉チャンネル（２））に、チャンネルが設定されている可能性が高いと考えられるので、スキャン部１３４は、最初に、非干渉チャンネルをスキャンする（図４のステップＳ３８）。例えば、現在接続しているチャンネルが１ｃｈであった場合、５ｃｈ，９ｃｈ，１３ｃｈのように４チャンネルごとにスキャンする。もしくは、現在接続しているチャンネルが１ｃｈであった場合、６ｃｈ，１１ｃｈのように５チャンネルごとにスキャンする。
【００３６】
非干渉チャンネル（１），（２）は、以下の式で求めることができる。非干渉チャンネルを、非干渉チャンネル（１）のみとしてもよく、非干渉チャンネル（２）のみとしてもよく、非干渉チャンネル（１）及び非干渉チャンネル（２）としてもよい。
【００３７】
非干渉チャンネル（１）＝ｎ＋／−４＊ｘ
・ｎは、現在接続しているチャンネル。
・ｘは、１以上の整数。
・非干渉チャンネル（１）は、１〜１３のうちの整数。
【００３８】
非干渉チャンネル（２）＝ｎ＋／−５＊ｘ
・ｎは、現在接続しているチャンネル。
・ｘは、１以上の整数。
・非干渉チャンネル（２）は、１〜１３のうちの整数。
【００３９】
スキャン結果よりローミング候補選定部１３５は、ローミング先ＷＡＰ候補を選定し（図４のステップＳ３９）、ＷＡＰ候補が見つからなかった場合は、スキャン部１３４は、干渉チャンネル（全チャンネルから非干渉チャンネルを除いたチャンネル）をスキャンする（図４のステップＳ４０）。ＷＡＰ候補が見つかった場合は、ローミング実行部１３６はローミングを実行する（図４のステップＳ４２）。
【００４０】
スキャン結果より得られたＷＡＰの情報から、ローミング候補選定部１３５は、ローミング先となるＷＡＰ候補を選定し（図４のステップＳ４１）、ローミング先となるＷＡＰ候補が見つかった場合は、ローミング実行部１３６はローミングを実行する（図４のステップＳ４２）。ローミング先となるＷＡＰ候補が見つからなかった場合は、処理を終了する。
【００４１】
（第３の実施形態）
次に本発明の無線通信端末の第３の実施形態として、図５の無線通信端末（無線ＬＡＮ端末）のブロック図、図６のフローチャートおよび図７の情報テーブルを参照して説明する。無線通信システムの構成は図２の構成と同じである。
【００４２】
上記第２の実施形態では、図４に示すように、現在接続しているチャンネルの帯域の中で、優先順位を決めてスキャンした。本第３の実施形態では、既に第２の実施形態で説明したような、通信への影響要因を避けるために、図７に示すパターンのように優先する帯域を順に定義し、より通信へ影響のない帯域を優先的に選択する。
【００４３】
図５に示すように本実施形態の無線通信端末は、図１に示す構成と比較して、記憶部１３７内に図７の情報テーブルを記憶する点で相異している。
【００４４】
以下、本発明の第３の実施形態の動作を、図７の情報テーブルのパターンを用いた図６のフローチャートを参照して詳細に説明する。
【００４５】
ＳＴＡ１３の記憶部１３７は、図７に示すパターン情報を保持しており、スキャン部１３４がいずれか１つのパターンを選択している状態とする。このとき、ＳＴＡ１３のスキャン部１３４が接続処理にてスキャン処理を行う場合、パターンに登録している第１優先帯域をスキャンする（図６のステップＳ４１）。スキャン結果より得られたＷＡＰの情報から、ローミング候補選定部１３５は、接続先となるＷＡＰ候補を選定する（図６のステップＳ４２）。
【００４６】
ここで、接続先となるＷＡＰ候補が見つかった場合には、ローミング実行部１３６は接続処理を実行する（図６のステップＳ４４）。これにより、優先帯域のみをスキャンして接続を実現することができるため、接続までの時間の短縮化と優先化を実現することができる。
【００４７】
なお、ＷＡＰ候補の選定（図６のステップＳ４２）で、ＷＡＰが見つからなかった場合には、ローミング候補選定部１３５は、全ての帯域のスキャンが完了しているかどうかをチェックし（図６のステップＳ４３）、スキャンが完了した場合は処理終了となる。スキャンが完了していない場合は、スキャン部１３４は、記憶部１３７から第２優先帯域の情報を読み出し、第２優先帯域をスキャンし（図６のステップＳ４１）、全ての帯域のスキャンが完了するまでステップＳ４１-Ｓ４３を繰り返す。
【００４８】
このように、第１優先帯域から順に全ての帯域をスキャンして接続処理が実行されるため、優先帯域から接続していくことで、用途による選別やより品質の高い環境への接続を実現することができる。
【００４９】
以上説明した、各実施形態の無線通信端末では、無線通信端末が移動することにより、接続しているアクセスポイントの電波が弱くなった場合に、より電波が強いＷＡＰをスキャンにて検出し、接続を切り替えるローミング機能がある。各実施形態の無線通信端末では、ローミング時に実行されるアクセスポイントのスキャン処理にて、スキャンする帯域に優先順位をつけることで、効率的にスキャンを行い、スキャン時間の短縮化を図ることができる。さらにスキャン時間の短縮化によりローミング完了までの時間を高速化することができる。
【００５０】
上記の実施形態の一部又は全部は、以下の付記のようにも記載されうるが、以下の構成には限られない。
【００５１】
（付記１）
移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に接続を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末。
【００５２】
（付記２）
付記１に記載の無線通信端末において、前記スキャン部は、現在接続しているチャンネルの帯域をスキャンし、スキャンの結果により、ローミング先のアクセスポイントがない場合に現在接続しているチャンネルの帯域と異なる帯域をスキャンすることを特徴とする無線通信端末。
【００５３】
（付記３）
付記２に記載の無線通信端末において、前記スキャン部は、現在接続しているチャンネルの帯域が８０２．１１ａであった場合にはＷ５３／Ｗ５６帯域よりも、Ｗ５２帯域のチャンネルを優先させてスキャンを行うことを特徴とする無線通信端末。
【００５４】
（付記４）
付記２に記載の無線通信端末において、前記スキャン部は、現在接続しているチャンネルの帯域が８０２．１１ｂ／ｇであった場合には干渉チャンネルよりも非干渉チャンネルを優先させてスキャンを行うことを特徴とする無線通信端末。
【００５５】
（付記５）
付記１に記載の無線通信端末において、複数のチャンネルの帯域について、スキャンを行うに際して優先する帯域の優先順位を定義した情報テーブルを記憶する記憶部を備え、前記スキャン部は前記優先順位の一番高い帯域をスキャンすることを特徴とする無線通信端末。
【００５６】
（付記６）
無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に接続を行う、無線通信端末のローミング方法。
【００５７】
（付記７）
付記６に記載のローミング方法において、現在接続しているチャンネルの帯域をスキャンし、スキャンの結果により、ローミング先のアクセスポイントがない場合に現在接続しているチャンネルの帯域と異なる帯域をスキャンすることを特徴とするローミング方法。
【００５８】
（付記８）
付記７に記載のローミング方法において、現在接続しているチャンネルの帯域が８０２．１１ａであった場合にはＷ５３／Ｗ５６帯域よりも、Ｗ５２帯域のチャンネルを優先させてスキャンを行うことを特徴とするローミング方法。
【００５９】
（付記９）
付記７に記載のローミング方法において、現在接続しているチャンネルの帯域が８０２．１１ｂ／ｇであった場合には干渉チャンネルよりも非干渉チャンネルを優先させてスキャンを行うことを特徴とするローミング方法。
【００６０】
（付記１０）
付記６に記載のローミング方法において、情報テーブルに、複数のチャンネルの帯域について、スキャンを行うに際して優先する帯域の優先順位を定義した情報を記憶し、前記優先順位の一番高い帯域をスキャンすることを特徴とするローミング方法。
【００６１】
（付記１１）
付記１から５のいずれかに記載の無線通信端末と、該無線通信端末と無線通信を行うアクセスポイントとを備えた無線通信システム。
【００６２】
（付記１２）
無線通信端末としてのコンピュータに、
前記無線通信端末の移動中にアクセスポイントの接続を切り替えるローミングを行うかどうかを判断する処理と、
ローミングを行うと決定した場合に、優先順位の高いスキャン帯域から順にアクセスポイントのスキャンを実行する処理と、
スキャンの結果により、ローミング先のアクセスポイントがある場合に接続を行う処理とを、実行させるローミング用プログラム。
【００６３】
（付記１３）
付記１２に記載のローミング用プログラムにおいて、前記スキャンを実行する処理において、現在接続しているチャンネルの帯域をスキャンし、スキャンの結果により、ローミング先のアクセスポイントがない場合に現在接続しているチャンネルの帯域と異なる帯域をスキャンすることを特徴とするローミング用プログラム。
【００６４】
（付記１４）
付記１２に記載のローミング用プログラムにおいて、前記スキャンを実行する処理において、現在接続しているチャンネルの帯域が８０２．１１ａであった場合にはＷ５３／Ｗ５６帯域よりも、Ｗ５２帯域のチャンネルを優先させてスキャンを行うことを特徴とするローミング用プログラム。
【００６５】
（付記１５）
付記１２に記載のローミング用プログラムにおいて、現在接続しているチャンネルの帯域が８０２．１１ｂ／ｇであった場合には干渉チャンネルよりも非干渉チャンネルを優先させてスキャンを行うことを特徴とするローミング用プログラム。
【００６６】
（付記１６）
付記１２に記載のローミング用プログラムにおいて、複数のチャンネルの帯域について、情報テーブルに、複数のチャンネルの帯域について、スキャンを行うに際して優先する帯域の優先順位を定義した情報を記憶し、前記優先順位の一番高い帯域をスキャンすることを特徴とするローミング用プログラム。
【産業上の利用可能性】
【００６７】
本発明は、複数のスキャン帯域を順にスキャンする無線通信端末、無線通信端末のローミング方法に用いられる。特に無線ＬＡＮ端末、無線ＬＡＮ端末のローミング方法に用いられる。
【符号の説明】
【００６８】
１３０  制御部
１３１  アンテナ
１３２  送受信部
１３３  ローミング判断部
１３４  スキャン部
１３５  ローミング候補選定部
１３６  ローミング実行部
１３７  記憶部
【図１】
2014232977.tif 000003
【図２】
2014232977.tif 000004
【図３】
2014232977.tif 000005
【図４】
2014232977.tif 000006
【図５】
2014232977.tif 000007
【図６】
2014232977.tif 000008
【図７】
2014232977.tif 000009
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に接続を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末であって、
前記スキャン部は、現在接続しているチャンネルの帯域をスキャンし、スキャンの結果により、ローミング先のアクセスポイントがない場合に現在接続しているチャンネルの帯域と異なる帯域をスキャンし、スキャンする帯域は、８０２．１１ａの帯域と８０２．１１ｂ／ｇの帯域であることを特徴とする無線通信端末。
【請求項２】
請求項１に記載の無線通信端末において、前記スキャン部は、現在接続しているチャンネルの帯域が８０２．１１ａであった場合にはＷ５３／Ｗ５６帯域よりも、Ｗ５２帯域のチャンネルを優先させてスキャンを行うことを特徴とする無線通信端末。
【請求項３】
請求項１に記載の無線通信端末において、前記スキャン部は、現在接続しているチャンネルの帯域が８０２．１１ｂ／ｇであった場合には干渉チャンネルよりも非干渉チャンネルを優先させてスキャンを行うことを特徴とする無線通信端末。
【請求項４】
無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に接続を行う、無線通信端末のローミング方法であって、
現在接続しているチャンネルの帯域をスキャンし、スキャンの結果により、ローミング先のアクセスポイントがない場合に現在接続しているチャンネルの帯域と異なる帯域をスキャンし、スキャンする帯域は、８０２．１１ａの帯域と８０２．１１ｂ／ｇの帯域であることを特徴とするローミング方法。
【請求項５】
請求項４に記載のローミング方法において、現在接続しているチャンネルの帯域が８０２．１１ａであった場合にはＷ５３／Ｗ５６帯域よりも、Ｗ５２帯域のチャンネルを優先させてスキャンを行うことを特徴とするローミング方法。
【請求項６】
請求項４に記載のローミング方法において、現在接続しているチャンネルの帯域が８０２．１１ｂ／ｇであった場合には干渉チャンネルよりも非干渉チャンネルを優先させてスキャンを行うことを特徴とするローミング方法。
【手続補正２】
【補正対象書類名】明細書
【補正対象項目名】００１０
【補正方法】変更
【補正の内容】
【００１０】
本発明の無線通信端末は、移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に接続を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末であって、 前記スキャン部は、現在接続しているチャンネルの帯域をスキャンし、スキャンの結果により、ローミング先のアクセスポイントがない場合に現在接続しているチャンネルの帯域と異なる帯域をスキャンし、スキャンする帯域は、８０２．１１ａの帯域と８０２．１１ｂ／ｇの帯域であることを特徴とする無線通信端末である。
【手続補正３】
【補正対象書類名】明細書
【補正対象項目名】００１１
【補正方法】変更
【補正の内容】
【００１１】
また、本発明の無線通信端末のローミング方法は、無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に接続を行う、無線通信端末のローミング方法であって、 現在接続しているチャンネルの帯域をスキャンし、スキャンの結果により、ローミング先のアクセスポイントがない場合に現在接続しているチャンネルの帯域と異なる帯域をスキャンし、スキャンする帯域は、８０２．１１ａの帯域と８０２．１１ｂ／ｇの帯域であることを特徴とするローミング方法である。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に該アクセスポイントとの接続処理を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末であって、
前記スキャン部は、ローミングを行う場合、前記優先順位の高いスキャン帯域として、現在接続しているアクセスポイントのチャンネルの帯域と同一の帯域をスキャンし、該スキャンの結果により、ローミング先のアクセスポイントがない場合に現在接続しているチャンネルの帯域と異なる帯域をスキャンし、
前記スキャン部がスキャンする帯域は、８０２．１１ａの帯域と８０２．１１ｂ／ｇの帯域であることを特徴とする無線通信端末。
【請求項２】
請求項１に記載の無線通信端末において、前記スキャン部は、現在接続しているチャンネルの帯域が８０２．１１ａであった場合にはＷ５３／Ｗ５６帯域よりも、Ｗ５２帯域のチャンネルを優先させてスキャンを行うことを特徴とする無線通信端末。
【請求項３】
請求項１に記載の無線通信端末において、前記スキャン部は、現在接続しているチャンネルの帯域が８０２．１１ｂ／ｇであった場合には干渉チャンネルよりも非干渉チャンネルを優先させてスキャンを行うことを特徴とする無線通信端末。
【請求項４】
無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に該アクセスポイントとの接続処理を行う、無線通信端末のローミング方法であって、
ローミングを行う場合、前記優先順位の高いスキャン帯域として、現在接続しているアクセスポイントのチャンネルの帯域と同一の帯域をスキャンし、該スキャンの結果により、ローミング先のアクセスポイントがない場合に現在接続しているチャンネルの帯域と異なる帯域をスキャンし、
スキャンする帯域は、８０２．１１ａの帯域と８０２．１１ｂ／ｇの帯域であることを特徴とする無線通信端末のローミング方法。
【請求項５】
請求項４に記載の無線通信端末のローミング方法において、現在接続しているチャンネルの帯域が８０２．１１ａであった場合にはＷ５３／Ｗ５６帯域よりも、Ｗ５２帯域のチャンネルを優先させてスキャンを行うことを特徴とするローミング方法。
【請求項６】
請求項４に記載の無線通信端末のローミング方法において、現在接続しているチャンネルの帯域が８０２．１１ｂ／ｇであった場合には干渉チャンネルよりも非干渉チャンネルを優先させてスキャンを行うことを特徴とするローミング方法。
【手続補正２】
【補正対象書類名】明細書
【補正対象項目名】００１０
【補正方法】変更
【補正の内容】
【００１０】
本発明の無線通信端末は、移動中にアクセスポイントの接続を切り替えるローミングを行う場合に、優先順位の高いスキャン帯域から順にアクセスポイントのスキャンを実行するスキャン部と、
前記スキャン部によるスキャンの結果により、ローミング先のアクセスポイントがある場合に該アクセスポイントとの接続処理を行うローミング実行部と、
を備え、
一の優先順位のスキャン帯域でのスキャンによるスキャン結果で、ローミング先のアクセスポイントがない場合に、前記スキャン部は前記一の優先順位よりも低い優先順位のスキャン帯域でスキャンを行う無線通信端末であって、  前記スキャン部は、ローミングを行う場合、前記優先順位の高いスキャン帯域として、現在接続しているアクセスポイントのチャンネルの帯域と同一の帯域をスキャンし、該スキャンの結果により、ローミング先のアクセスポイントがない場合に現在接続しているチャンネルの帯域と異なる帯域をスキャンし、
前記スキャン部がスキャンする帯域は、８０２．１１ａの帯域と８０２．１１ｂ／ｇの帯域であることを特徴とする無線通信端末である。
【手続補正３】
【補正対象書類名】明細書
【補正対象項目名】００１１
【補正方法】変更
【補正の内容】
【００１１】
また、本発明のローミング方法は、無線通信端末の移動中にアクセスポイントの接続を切り替えるローミングを行うかどうかを判断し、
ローミングを行うと決定した場合に、優先順位の高いスキャン帯域から順にアクセスポイントのスキャンを実行し、
スキャンの結果により、ローミング先のアクセスポイントがある場合に該アクセスポイントとの接続処理を行う、無線通信端末のローミング方法であって、  ローミングを行う場合、前記優先順位の高いスキャン帯域として、現在接続しているアクセスポイントのチャンネルの帯域と同一の帯域をスキャンし、該スキャンの結果により、ローミング先のアクセスポイントがない場合に現在接続しているチャンネルの帯域と異なる帯域をスキャンし、
スキャンする帯域は、８０２．１１ａの帯域と８０２．１１ｂ／ｇの帯域であることを特徴とする無線通信端末のローミング方法である。